(57)【要約】【課題】保護者教員等が、計画通りの移動行程を移動しているのか等の移動状況を容易に、正確に、かつ迅速に把握することが可能な団体移動管理装置、方法およびプログラムを提供すること。【解決手段】団体構成メンバーを識別するためのＩＤ、移動行程中の予め定められた位置と時刻を含む移動計画情報を格納部に格納し、リーダが読み取ったＩＤ、読み取った位置および時刻を、リーダから取得し、読み取ったＩＤが団体情報格納部に格納されたＩＤと一致するか否かを判断し、一致すると判断されないメンバーのＩＤが団体情報格納部に存在する場合、一致すると判断されないＩＤを出力し、全てと一致すると判断された場合、取得した読取位置に一致する対応する時刻が、取得した時刻と一致するか否かを判断し、一致しないと判断された場合、判断された読取時刻を出力する。【選択図】図２
2017146850.tif 000002
【特許請求の範囲】
【請求項１】
団体の移動行程を管理する団体移動管理装置において、
前記団体の構成メンバーを識別するためのメンバーＩＤを格納する団体情報格納部と、
前記移動行程中の予め定められた位置を示す位置情報および前記位置情報と対応付けられた予め定められた時刻を示す時刻情報を含む移動計画情報を格納する移動計画情報格納部と、
リーダが読み取った読取メンバーＩＤ、前記読取メンバーＩＤを読み取った位置を示す読取位置情報、および前記読取メンバーＩＤを読み取った時刻を示す読取時刻情報を、前記リーダから取得する読取データ取得部と、
前記読取データ取得部によって読み取った前記読取メンバーＩＤが前記団体情報格納部に格納された前記メンバーＩＤと一致するか否かを判断する構成メンバー判断部と、
前記構成メンバー判断部によって前記読取メンバーＩＤと一致すると判断されない前記メンバーＩＤが前記団体情報格納部に存在する場合、一致すると判断されない前記メンバーＩＤを出力する不在メンバー出力部と、
前記構成メンバー判断部によって前記読取メンバーＩＤが前記メンバーＩＤの全てと一致すると判断された場合、前記読取データ取得部によって取得した前記読取位置情報に一致する前記団体情報格納部に格納された前記位置情報に対応する前記時刻情報が、前記読取データ取得部によって取得した前記読取時刻情報と一致するか否かを判断する時刻情報判断部と、
前記時刻情報判断部によって前記読取時刻情報が前記時刻情報と一致しないと判断された場合、一致しないと判断された前記読取時刻情報を出力する時刻変更出力部と、
を備えることを特徴とする団体移動管理装置。
【請求項２】
前記移動計画情報格納部に格納された移動計画情報、並びに、前記リーダが読み取った読取メンバーＩＤ、前記読取位置情報および前記読取時刻情報を地図上に表示した移動行程地図情報を出力する地図情報出力部、
を備えることを特徴とする請求項１に記載の団体移動管理装置。
【請求項３】
前記移動計画情報は、出発地、立寄り地および到着地を含む位置情報、並びに、出発時刻、立寄り時刻および到着時刻を含む時刻情報を含む、ことを特徴とする請求項１または２に記載の団体移動管理装置。
【請求項４】
団体の移動行程を管理する団体移動管理装置において実行される行程管理方法であって、
前記団体の構成メンバーを識別するためのメンバーＩＤを団体情報格納部に格納し、
前記移動行程中の予め定められた位置を示す位置情報および前記位置情報と対応付けられた予め定められた時刻を示す時刻情報を含む移動計画情報を移動計画情報格納部に格納し、
リーダが読み取った読取メンバーＩＤ、前記読取メンバーＩＤを読み取った位置を示す読取位置情報、および前記読取メンバーＩＤを読み取った時刻を示す読取時刻情報を、前記リーダから取得し、
前記読み取った前記読取メンバーＩＤが前記団体情報格納部に格納された前記メンバーＩＤと一致するか否かを判断し、
前記読取メンバーＩＤと一致すると判断されない前記メンバーＩＤが前記団体情報格納部に存在する場合、一致すると判断されない前記メンバーＩＤを出力し、
前記読取メンバーＩＤが前記メンバーＩＤの全てと一致すると判断された場合、前記取得した前記読取位置情報に一致する前記団体情報格納部に格納された前記位置情報に対応する前記時刻情報が、前記取得した前記読取時刻情報と一致するか否かを判断し、
前記読取時刻情報が前記時刻情報と一致しないと判断された場合、一致しないと判断された前記読取時刻情報を出力する、
ことを特徴とする団体移動管理方法。
【請求項５】
団体の移動行程を管理する団体移動管理装置における団体移動管理プログラムであって、
前記団体移動管理装置のコンピュータを、
前記団体の構成メンバーを識別するためのメンバーＩＤを団体情報格納部に格納する団体情報格納手段、
前記移動行程中の予め定められた位置を示す位置情報および前記位置情報と対応付けられた予め定められた時刻を示す時刻情報を含む移動計画情報を移動計画情報格納部に格納する移動計画情報格納手段、
リーダが読み取った読取メンバーＩＤ、前記読取メンバーＩＤを読み取った位置を示す読取位置情報、および前記読取メンバーＩＤを読み取った時刻を示す読取時刻情報を、前記リーダから取得する読取データ取得手段、
前記読取データ取得手段によって読み取った前記読取メンバーＩＤが前記団体情報格納部に格納された前記メンバーＩＤと一致するか否かを判断する構成メンバー判断手段、
前記構成メンバー判断手段によって前記読取メンバーＩＤと一致すると判断されない前記メンバーＩＤが前記団体情報格納部に存在する場合、一致すると判断されない前記メンバーＩＤを出力する不在メンバー出力手段、
前記構成メンバー判断手段によって前記読取メンバーＩＤが前記メンバーＩＤの全てと一致すると判断された場合、前記読取データ取得手段によって取得した前記読取位置情報に一致する前記団体情報格納部に格納された前記位置情報に対応する前記時刻情報が、前記読取データ取得手段によって取得した前記読取時刻情報と一致するか否かを判断する時刻情報判断手段、
前記時刻情報判断手段によって前記読取時刻情報が前記時刻情報と一致しないと判断された場合、一致しないと判断された前記読取時刻情報を出力する時刻変更出力手段、
として機能させるための団体移動管理プログラム。
【発明の詳細な説明】
【技術分野】
【０００１】
本発明は、団体の移動状況を管理する団体移動管理装置、団体移動管理方法および団体移動管理プログラムに関する。
【背景技術】
【０００２】
従来、学校単位等の団体でのツアー旅行、修学旅行等においては、予め定めた予定行程に基づいて団体移動が行われている。例えば、学校をクラス毎のバスで朝７：００に出発し、途中のドライブインで１２：００〜１３：００に昼食を取り、夕方５：００にホテルにチェックインする、という具合である。
【０００３】
通常、団体移動は、ガイド、ツアーコンダクタ、引率教師等が多数の観光客、児童、生徒等の団体構成メンバーを引率している。このような団体移動においては、観光拠点等の集合場所、バス等の移動手段に乗る前等に、その団体構成メンバーの全員がいるか否かを確認するための点呼が行われている。例えば学校の修学旅行の場合、クラス担任の教師がクラス名簿と照らし合わせながら、１人１人を確認して点呼を取っている。
【０００４】
また、教師が点呼を取る代わりに、個人を識別するためのＩＤカードを生徒に持たせ、教室に設置したリーダが読み取ったＩＤカードの情報をサーバが受信し、出欠確認を行う技術が開示されている（例えば、特許文献１参照。）。
【先行技術文献】
【特許文献】
【０００５】
【特許文献１】特開２００８−１４６１８７号公報
【発明の概要】
【発明が解決しようとする課題】
【０００６】
しかしながら、団体構成メンバーに発生した急病等の事情、天候事情、交通事情等の予期せぬ事態により、当初の予定行程通りに団体移動が行われないことがある。このような場合、団体が計画通りの移動行程を移動しているのか、それとも計画に変更が生じたのかを、旅行会社、保護者教員等の留守宅管理者や、立寄り施設、宿泊施設等の立寄り先関係者が、実際の移動状況を容易に、正確に、かつ迅速に把握することができない、という問題がある。
【０００７】
また、教室に設置したリーダの読み取りにより出欠確認をする技術では、移動する団体の行程を把握することはできない。
【０００８】
本発明は、上述のような実状に鑑みたものであり、旅行会社、保護者教員等の留守宅管理者や、立寄り施設、宿泊施設等の立寄り先関係者が、計画通りの移動行程を移動しているのか、それとも計画に変更が生じたのか等の移動状況を容易に、正確に、かつ迅速に把握することが可能な団体移動管理装置、団体移動管理方法および団体移動管理プログラムを提供することを目的とする。
【課題を解決するための手段】
【０００９】
本発明は、上記課題を解決するため、下記のような構成を採用した。
すなわち、本発明の一態様によれば、本発明の団体移動管理装置は、団体の移動行程を管理する団体移動管理装置において、前記団体の構成メンバーを識別するためのメンバーＩＤを格納する団体情報格納部と、前記移動行程中の予め定められた位置を示す位置情報および前記位置情報と対応付けられた予め定められた時刻を示す時刻情報を含む移動計画情報を格納する移動計画情報格納部と、リーダが読み取った読取メンバーＩＤ、前記読取メンバーＩＤを読み取った位置を示す読取位置情報、および前記読取メンバーＩＤを読み取った時刻を示す読取時刻情報を、前記リーダから取得する読取データ取得部と、前記読取データ取得部によって読み取った前記読取メンバーＩＤが前記団体情報格納部に格納された前記メンバーＩＤと一致するか否かを判断する構成メンバー判断部と、前記構成メンバー判断部によって前記読取メンバーＩＤと一致すると判断されない前記メンバーＩＤが前記団体情報格納部に存在する場合、一致すると判断されない前記メンバーＩＤを出力する不在メンバー出力部と、前記構成メンバー判断部によって前記読取メンバーＩＤが前記メンバーＩＤの全てと一致すると判断された場合、前記読取データ取得部によって取得した前記読取位置情報に一致する前記団体情報格納部に格納された前記位置情報に対応する前記時刻情報が、前記読取データ取得部によって取得した前記読取時刻情報と一致するか否かを判断する時刻情報判断部と、前記時刻情報判断部によって前記読取時刻情報が前記時刻情報と一致しないと判断された場合、一致しないと判断された前記読取時刻情報を出力する時刻変更出力部とを備えることを特徴とする。
【００１０】
また、本発明の団体移動管理装置は、更に、前記移動計画情報格納部に格納された移動計画情報、並びに、前記リーダが読み取った読取メンバーＩＤ、前記読取位置情報および前記読取時刻情報を地図上に表示した移動行程地図情報を出力する地図情報出力部を備えることが望ましい。
【００１１】
また、本発明の団体移動管理装置は、前記移動計画情報が、出発地、立寄り地および到着地を含む位置情報、並びに、出発時刻、立寄り時刻および到着時刻を含む時刻情報を含むことが望ましい。
【００１２】
また、本発明の一態様によれば、本発明の団体移動管理方法は、団体の移動行程を管理する団体移動管理装置において実行される行程管理方法であって、前記団体の構成メンバーを識別するためのメンバーＩＤを団体情報格納部に格納し、前記移動行程中の予め定められた位置を示す位置情報および前記位置情報と対応付けられた予め定められた時刻を示す時刻情報を含む移動計画情報を移動計画情報格納部に格納し、リーダが読み取った読取メンバーＩＤ、前記読取メンバーＩＤを読み取った位置を示す読取位置情報、および前記読取メンバーＩＤを読み取った時刻を示す読取時刻情報を、前記リーダから取得し、前記読み取った前記読取メンバーＩＤが前記団体情報格納部に格納された前記メンバーＩＤと一致するか否かを判断し、前記読取メンバーＩＤと一致すると判断されない前記メンバーＩＤが前記団体情報格納部に存在する場合、一致すると判断されない前記メンバーＩＤを出力し、前記読取メンバーＩＤが前記メンバーＩＤの全てと一致すると判断された場合、前記取得した前記読取位置情報に一致する前記団体情報格納部に格納された前記位置情報に対応する前記時刻情報が、前記取得した前記読取時刻情報と一致するか否かを判断し、前記読取時刻情報が前記時刻情報と一致しないと判断された場合、一致しないと判断された前記読取時刻情報を出力することを特徴とする。
【００１３】
また、本発明の一態様によれば、本発明の団体移動管理プログラムは、団体の移動行程を管理する団体移動管理装置における団体移動管理プログラムであって、前記団体移動管理装置のコンピュータを、前記団体の構成メンバーを識別するためのメンバーＩＤを団体情報格納部に格納する団体情報格納手段、前記移動行程中の予め定められた位置を示す位置情報および前記位置情報と対応付けられた予め定められた時刻を示す時刻情報を含む移動計画情報を移動計画情報格納部に格納する移動計画情報格納手段、リーダが読み取った読取メンバーＩＤ、前記読取メンバーＩＤを読み取った位置を示す読取位置情報、および前記読取メンバーＩＤを読み取った時刻を示す読取時刻情報を、前記リーダから取得する読取データ取得手段、前記読取データ取得手段によって読み取った前記読取メンバーＩＤが前記団体情報格納部に格納された前記メンバーＩＤと一致するか否かを判断する構成メンバー判断手段、前記構成メンバー判断手段によって前記読取メンバーＩＤと一致すると判断されない前記メンバーＩＤが前記団体情報格納部に存在する場合、一致すると判断されない前記メンバーＩＤを出力する不在メンバー出力手段、前記構成メンバー判断手段によって前記読取メンバーＩＤが前記メンバーＩＤの全てと一致すると判断された場合、前記読取データ取得手段によって取得した前記読取位置情報に一致する前記団体情報格納部に格納された前記位置情報に対応する前記時刻情報が、前記読取データ取得手段によって取得した前記読取時刻情報と一致するか否かを判断する時刻情報判断手段、前記時刻情報判断手段によって前記読取時刻情報が前記時刻情報と一致しないと判断された場合、一致しないと判断された前記読取時刻情報を出力する時刻変更出力手段として機能させるための団体移動管理プログラムである。
【発明の効果】
【００１４】
本発明によれば、旅行会社、保護者教員等の留守宅管理者や、立寄り施設、宿泊施設等の立寄り先関係者が、計画通りの移動行程を移動しているのか、それとも計画に変更が生じたのか等の移動状況を容易に、正確に、かつ迅速に把握することができる、という効果を奏する。
【図面の簡単な説明】
【００１５】
【図１】本実施の形態の団体移動管理装置の適用例を示す図である。
【図２】本実施の形態の団体移動管理装置の機能ブロック図である。
【図３】本実施の形態の団体移動管理処理の流れを示すフローチャートである。
【図４】本実施の形態の動作フロー（通常動作）の例（その１）を示す図である。
【図５】本実施の形態の生徒情報のデータ構成例を示す図である。
【図６】本実施の形態の移動計画情報のデータ構成例を示す図である。
【図７】本実施の形態の所在情報のデータ構成例を示す図である。
【図８】本実施の形態の表示地図の例を示す図である。
【図９】本実施の形態の動作フロー（通常動作）の例（その２）を示す図である。
【図１０】本実施の形態の動作フロー（通常動作）の例（その３）を示す図である。
【図１１】本実施の形態の動作フロー（通常動作）の例（その４）を示す図である。
【図１２】本実施の形態の動作フロー（遅延発生）の例（その１）を示す図である。
【図１３】本実施の形態の動作フロー（遅延発生）の例（その２）を示す図である。
【図１４】本実施の形態の連絡先情報のデータ構成例を示す図である。
【図１５】本実施の形態の動作フロー（遅延発生）の例（その３）を示す図である。
【図１６】本実施の形態の動作フロー（遅延発生）の例（その４）を示す図である。
【図１７】本実施の形態の動作フロー（病気・怪我発生）の例（その１）を示す図である。
【図１８】本実施の形態の動作フロー（病気・怪我発生）の例（その２）を示す図である。
【図１９】本実施の形態の怪我情報のデータ構成例を示す図である。
【図２０】本実施の形態の動作フロー（病気・怪我発生）の例（その３）を示す図である。
【図２１】本実施の形態の動作フロー（病気・怪我発生）の例（その４）を示す図である。
【図２２】本実施の形態の動作フロー（病気・怪我発生）の例（その５）を示す図である。
【図２３】本実施の形態の動作フロー（病気・怪我発生）の例（その６）を示す図である。
【発明を実施するための形態】
【００１６】
以下、本発明の実施の形態について、図面を参照しながら詳細に説明する。
図１は、本実施の形態の団体移動管理装置の適用例を示す図である。
【００１７】
図１に示した適用例は、例えば、学校の生徒が修学旅行をした場合の適用例である。
図１において、団体移動管理装置１は、生徒情報、移動計画情報、所在情報、連絡先情報、マップ情報および病気・怪我情報をそれぞれ登録するための複数のデータベースを備える。
【００１８】
生徒情報は、生徒が所属するクラス、生徒の氏名、生徒の携帯電話番号、生徒のメールアドレス等の属性情報が、生徒を識別するためのＩＤと対応付けてデータベースに登録される。移動計画情報は、出発地、立寄り地および到着地を含む位置情報、並びに、出発時刻、立寄り時刻および到着時刻を含む時刻情報等がデータベースに登録される。所在情報は、点呼を取った時刻情報およびその位置情報等がデータベースに登録される。連絡先情報は、宿泊ホテル、立寄り先等の連絡先がデータベースに登録される。マップ情報は、移動計画情報に含まれる位置情報を含む地図情報がデータベースに登録される。病気・怪我情報は、病気または怪我をした場合に、その生徒氏名、発生日時、発生場所、症状等がデータベースに登録される。
【００１９】
更に、団体移動管理装置１は、学校２、保護者３、旅行会社５、ホテル／旅館６、観光先７、交通機関８、地図会社９および医療機関１０等が備える不図示の情報処理装置と、不図示のネットワークを介して通信可能に接続される。また、団体移動管理装置１は、引率教師４が所持するハンディ端末型のリーダ４ａともネットワークを介して通信可能に接続される。引率教師４が所持するリーダ４ａは、ＧＰＳ（Global Positioning System）機能、通信機能を有する。
【００２０】
上述のような団体移動管理装置１は、例えば、生徒が所持するＲＦＩＤ（Radio Frequency IDentifier）タグ４ｂを利用し、生徒の修学旅行または緊急避難時等の団体移動における生徒の点呼確認に活用する。これにより、学校２、保護者３、旅行会社５、ホテル／旅館６および観光先７等が、変更のあった移動行程を含めた団体移動の移動行程を容易に、正確に、かつ迅速に把握することができる。
【００２１】
図２は、本実施の形態の団体移動管理装置の機能ブロック図である。
図２において、団体移動管理装置１は、団体情報格納部１１、移動計画情報格納部１２、読取データ取得部１３、構成メンバー判断部１４、不在メンバー出力部１５、時刻情報判断部１６、時刻変更出力部１７および地図情報出力部１８を備え、ツアー旅行、修学旅行等の団体の移動行程を管理する。
【００２２】
団体情報格納部１１は、団体の構成メンバー、例えば、学校の生徒を識別するためのメンバーＩＤを格納する。
【００２３】
移動計画情報格納部１２は、例えば、修学旅行等の移動行程中の予め定められた位置を示す位置情報、およびその位置情報と対応付けられた予め定められた時刻を示す時刻情報を含む移動計画情報を格納する。例えば移動計画情報は、出発地、立寄り地および到着地を含む位置情報、並びに、出発時刻、立寄り時刻および到着時刻を含む時刻情報を含む。
【００２４】
読取データ取得部１３は、例えば、引率教師が所持するリーダ４ａで生徒が所持するＲＦＩＤタグ４ｂを読み取り、読み取った読取メンバーＩＤ、読取メンバーＩＤを読み取った位置を示す読取位置情報、および読取メンバーＩＤを読み取った時刻を示す読取時刻情報を、リーダ４ａから取得する。読取位置情報は、例えば、リーダ４ａが有するＧＰＳ機能を利用して取得する。
【００２５】
構成メンバー判断部１４は、読取データ取得部１３によって読み取った読取メンバーＩＤが団体情報格納部１１に格納されたメンバーＩＤと一致するか否かを判断する。例えば、ある生徒が所持するＲＦＩＤタグ４ｂから読み取ったＩＤが、団体情報格納部１１に格納されたメンバーＩＤと一致するか否かにより、生徒を点呼することができる。
【００２６】
不在メンバー出力部１５は、構成メンバー判断部１４によって読取メンバーＩＤと一致すると判断されないメンバーＩＤが団体情報格納部１１に存在する場合、一致すると判断されないメンバーＩＤを出力する。例えば、点呼されなかった生徒のリストを出力する。
【００２７】
時刻情報判断部１６は、構成メンバー判断部１４によって読取メンバーＩＤがメンバーＩＤの全てと一致すると判断された場合、読取データ取得部１３によって取得した読取位置情報に一致する団体情報格納部１１に格納された位置情報に対応する時刻情報が、読取データ取得部１３によって取得した読取時刻情報と一致するか否かを判断する。例えば、あるクラスに所属する生徒全員の点呼が完了した場合、予定時刻通りにその場所にいるのか否かを判断する。
【００２８】
時刻変更出力部１７は、時刻情報判断部１６によって読取時刻情報が時刻情報と一致しないと判断された場合、一致しないと判断された読取時刻情報を出力する。例えば、移動行程中の任意の場所に遅延して到着した場合、遅延した到着時刻を出力する。
【００２９】
地図情報出力部１８は、移動計画情報格納部１２に格納された移動計画情報、並びに、リーダ４ａが読み取った読取メンバーＩＤ、読取位置情報および読取時刻情報を地図上に表示した移動行程地図情報を出力する。例えば、予定の移動行程を示した地図上に、実際の移動行程を表示する。
【００３０】
次に、上述の団体移動管理装置１が実行する団体移動管理処理の流れを説明する。
図３は、本実施の形態の団体移動管理処理の流れを示すフローチャートである。
【００３１】
団体移動管理装置１が実行する団体移動管理処理は、予め決めた場所、例えば、学校の生徒が修学旅行に行く場合の、集合場所、立寄り場所、解散場所等において、引率教師が所持するリーダ４ａで生徒が所持するＲＦＩＤタグ４ｂの読み取り動作を行うことにより開始される。
【００３２】
団体移動管理処理が開始されると、団体移動管理装置１は、ステップＳ３０１において、リーダ４ａで読み取ったＲＦＩＤタグ４ｂに記憶されているメンバーＩＤを、リーダ４ａの位置情報と共に取得する。
【００３３】
団体移動管理装置１は、ステップＳ３０２において、団体情報格納部１１を検索し、ステップＳ３０１で読み取った読取メンバーＩＤが団体情報格納部１１に格納されたメンバーＩＤと一致するか否かを判断する。
【００３４】
団体移動管理装置１は、ステップＳ３０３において、団体情報格納部１１に格納された全てのメンバーＩＤの検索が行われたか否かを判断する。
【００３５】
全てのメンバーＩＤの検索が行われていない場合（ステップＳ３０３：ＮＯ）、団体移動管理装置１は、ステップＳ３０４において、検索されていない構成メンバー、すなわち、点呼されていない構成メンバー（不在の生徒）を、例えばリスト形式で出力し、ステップＳ３０１に戻る。
【００３６】
他方、全てのメンバーＩＤの検索が行われた場合（ステップＳ３０３：ＹＥＳ）、団体移動管理装置１は、ステップＳ３０５において、直近のステップＳ３０２で取得した位置情報に一致する団体情報格納部１１に格納された位置情報に対応する時刻情報に基づいて、移動計画情報格納部１２を検索する。
【００３７】
団体移動管理装置１は、ステップＳ３０６において、その団体情報格納部１１に格納された時刻情報が、直近のステップＳ３０２で取得した時刻情報と一致するか否かを判断する。例えば、あるクラスに所属する生徒全員の点呼が完了した場合、予定時刻通りにその場所にいるのか否かを判断する。
【００３８】
一致しないと判断された場合（ステップＳ３０６：ＮＯ）、団体移動管理装置１は、ステップＳ３０７において、時刻情報を変更し、ステップＳ３０８において、変更した時刻情報を出力する。例えば、学校２、保護者３、旅行会社５、ホテル／旅館６、観光先７、交通機関８、地図会社９および医療機関１０等が備える不図示の情報処理装置に対して、変更が有った時刻情報を含む変更情報を送信する。
【００３９】
団体移動管理装置１は、ステップＳ３０９において、移動計画情報格納部１２に格納された移動計画情報、並びに、リーダ４ａが読み取った読取メンバーＩＤ、読取位置情報および読取時刻情報を地図上に表示した移動行程地図情報を出力する。例えば、予定の移動行程を示した地図上に、実際の移動行程を表示する。
【００４０】
ステップＳ３０６で一致したと判断された場合（ステップＳ３０６：ＹＥＳ）も、団体移動管理装置１は、移動計画情報格納部１２に格納された移動計画情報、並びに、リーダ４ａが読み取った読取メンバーＩＤ、読取位置情報および読取時刻情報を地図上に表示した移動行程地図情報を出力する。この場合は、予定の移動行程を示した地図上に、実際の移動行程が重なって表示される。
【００４１】
次に、図１に示した適用例において、通常動作の場合、交通機関の遅延が発生した場合、生徒に病気または怪我が発生した場合について、図４乃至図２３を用いて説明する。
【００４２】
図４、９、１０、１１は、本実施の形態の動作フロー（通常動作）の例を示す図であり、図５は、本実施の形態の生徒情報のデータ構成例を示す図であり、図６は、本実施の形態の移動計画情報のデータ構成例を示す図であり、図７は、本実施の形態の所在情報のデータ構成例を示す図であり、図８は、本実施の形態の表示地図の例を示す図であり、図１２、１３、１５、１６は、本実施の形態の動作フロー（遅延発生）の例を示す図であり、図１４は、本実施の形態の連絡先情報のデータ構成例を示す図であり、図１７、１８、２０、２１、２２、２３は、本実施の形態の動作フロー（病気・怪我発生）の例を示す図であり、図１９は、本実施の形態の怪我情報のデータ構成例を示す図である。
【００４３】
以下に説明する例は、学校の修学旅行、校外学習等における生徒の点呼確認、緊急避難時の生徒の点呼確認における例である。各生徒は、生徒個人を識別するためのＲＦＩＤタグ４ｂを、ワッペンやリストバンド等に装着して所有している。
【００４４】
システム全体としては、図１に例示したようなシステムで構成される。すなわち、学校２が備えるＰＣ、引率教師４が所持するリーダ４ａ、保護者３が備えるＰＣやモバイル端末、団体移動管理装置１、および、旅行会社５、ホテル／旅館６、観光先７、交通機関８、地図会社９、医療機関１０等のバックエンドが備える各種システムが、ネットワークを介して通信可能に接続されている。引率教師４が所持するリーダ４ａは、ＲＦＩＤタグ４ｂから情報を読み出す機能、ＧＰＳ機能、通信機能を備えている。
【００４５】
まず、図４に示すように、「事前準備」フェーズとして、図５に示すような生徒情報（クラス名簿、保護者への通知先情報（メールアドレス等）等）、図６に示すような移動計画情報（移動ルート、点呼実行場所等）を、学校２のＰＣから団体移動管理装置１に送信する（Ｓ４０１）。団体移動管理装置１は、受信したこれらの情報を登録する。
【００４６】
引率教師４が所持するリーダ４ａは、団体移動管理装置１が登録している生徒情報、移動計画情報をダウンロードする（Ｓ４０２）。なお、団体移動管理装置１は、地図情報にマッピングしているので、移動ルートに対する現在地と点呼場所をリーダ４ａで視覚的に確認できる。
【００４７】
このようにして「事前準備」が完了すると、団体移動管理装置１における団体移動管理処理が実行可能になる。
【００４８】
図４、９、１０、１１を用いて「通常動作」における団体移動管理処理の一連の流れを説明する。
【００４９】
Ａ駅の集合時刻になると、団体移動管理装置１は、図６のような「移動計画情報」に基づいて、リーダ４ａに対して「点呼を取るように依頼するメッセージ」を表示させる（図４中のＳ４１１）。
【００５０】
リーダ４ａは、生徒が所持するＲＦＩＤタグ４ｂを読み取り（Ｓ４１２）、読み取った時刻情報、場所情報とともに団体移動管理装置１にアップロードする（Ｓ４１３）。
【００５１】
団体移動管理装置１は、アップロードされた各生徒のＲＦＩＤの情報を、登録してある生徒情報（図５中の「タグＩＤ」）と照合する（Ｓ４１４）。例えば、生徒が所属するクラス単位で照合する。そして、団体移動管理装置１は、照合した結果をリーダ４ａに通知し、図７に示すような所在情報およびマップ情報を更新する（Ｓ４１５）。例えば、Ａ駅に生徒が到着していることを示す情報に更新し、図８に示すような地図情報を出力する。
【００５２】
Ａ駅から新幹線乗車により移動し、Ｂ駅の到着時刻になると、団体移動管理装置１は、移動計画情報（図６）に基づいて、リーダ４ａに対して「点呼を取るように依頼するメッセージ」を表示させる（図９中のＳ９１１）。
【００５３】
リーダ４ａは、生徒が所持するＲＦＩＤタグ４ｂを読み取り（Ｓ９１２）、読み取った時刻情報、場所情報とともに団体移動管理装置１にアップロードする（Ｓ９１３）。
【００５４】
団体移動管理装置１は、アップロードされた各生徒のＲＦＩＤの情報を、登録してある生徒情報（図５）と照合する（Ｓ９１４）。そして、団体移動管理装置１は、照合した結果をリーダ４ａに通知し、図７に示すような所在情報およびマップ情報を更新する（Ｓ９１５）。例えば、Ｂ駅に生徒が到着していることを示す情報に更新し、図８に示すような地図情報を出力する。
【００５５】
Ｂ駅からバス乗車により移動し、見学先Ｃの到着時刻になると、団体移動管理装置１は、移動計画情報（図６）に基づいて、リーダ４ａに対して「点呼を取るように依頼するメッセージ」を表示させる（Ｓ９１６）。
【００５６】
リーダ４ａは、生徒が所持するＲＦＩＤタグ４ｂを読み取り（Ｓ９１７）、読み取った時刻情報、場所情報とともに団体移動管理装置１にアップロードする（Ｓ９１８）。
【００５７】
団体移動管理装置１は、アップロードされた各生徒のＲＦＩＤの情報を、登録してある生徒情報（図５）と照合する（Ｓ９１９）。そして、団体移動管理装置１は、照合した結果をリーダ４ａに通知し、図７に示すような所在情報およびマップ情報を更新する（図１０中のＳ１００１）。例えば、見学先Ｃに生徒が到着していることを示す情報に更新し、図８に示すような地図情報を出力する。
【００５８】
見学先Ｃからバス乗車により移動し、レストランの到着時刻になると、団体移動管理装置１は、移動計画情報（図６）に基づいて、リーダ４ａに対して「点呼を取るように依頼するメッセージ」を表示させる（Ｓ１００２）。
【００５９】
リーダ４ａは、生徒が所持するＲＦＩＤタグ４ｂを読み取り（Ｓ１００３）、読み取った時刻情報、場所情報とともに団体移動管理装置１にアップロードする（Ｓ１００４）。
【００６０】
団体移動管理装置１は、アップロードされた各生徒のＲＦＩＤの情報を、登録してある生徒情報（図５）と照合する（Ｓ１００５）。そして、団体移動管理装置１は、照合した結果をリーダ４ａに通知し、図７に示すような所在情報およびマップ情報を更新する（Ｓ１００６）。例えば、レストランに生徒が到着していることを示す情報に更新し、図８に示すような地図情報を出力する。
【００６１】
レストランからバス乗車により移動し、見学先Ｄの到着時刻になると、団体移動管理装置１は、移動計画情報（図６）に基づいて、リーダ４ａに対して「点呼を取るように依頼するメッセージ」を表示させる（Ｓ１００７）。
【００６２】
リーダ４ａは、生徒が所持するＲＦＩＤタグ４ｂを読み取り（Ｓ１００８）、読み取った時刻情報、場所情報とともに団体移動管理装置１にアップロードする（図１１中のＳ１１０１）。
【００６３】
団体移動管理装置１は、アップロードされた各生徒のＲＦＩＤの情報を、登録してある生徒情報（図５）と照合する（Ｓ１１０２）。そして、団体移動管理装置１は、照合した結果をリーダ４ａに通知し、図７に示すような所在情報およびマップ情報を更新する（Ｓ１１０３）。例えば、見学先Ｄに生徒が到着していることを示す情報に更新し、図８に示すような地図情報を出力する。
【００６４】
見学先Ｄからバス乗車により移動し、ホテルや旅館の到着時刻になると、団体移動管理装置１は、移動計画情報（図６）に基づいて、リーダ４ａに対して「点呼を取るように依頼するメッセージ」を表示させる（Ｓ１１０４）。
【００６５】
リーダ４ａは、生徒が所持するＲＦＩＤタグ４ｂを読み取り（Ｓ１１０５）、読み取った時刻情報、場所情報とともに団体移動管理装置１にアップロードする（Ｓ１１０６）。
【００６６】
団体移動管理装置１は、アップロードされた各生徒のＲＦＩＤの情報を、登録してある生徒情報（図５）と照合する（Ｓ１１０７）。そして、団体移動管理装置１は、照合した結果をリーダ４ａに通知し、図７に示すような所在情報およびマップ情報を更新する（Ｓ１１０８）。例えば、ホテル等に生徒が到着していることを示す情報に更新し、図８に示すような地図情報を出力する。
【００６７】
次に、図１２、１３、１５、１６を用いて「遅延発生」における団体移動管理処理の一連の流れを説明する。「遅延発生」の流れは、  図４、９、１０、１１を用いて説明した「通常動作」の流れにおいて、例えば「移動計画情報」に登録された交通機関に遅延が発生するような場合の流れである。以下の説明において「通常動作」中の流れと同様な流れについては、説明を省略することもある。
【００６８】
Ａ駅の集合時刻になると、団体移動管理装置１は、移動計画情報（図６）に基づいて、リーダ４ａに対して「点呼を取るように依頼するメッセージ」を表示させる（図１２中のＳ４１１）。
【００６９】
リーダ４ａは、生徒が所持するＲＦＩＤタグ４ｂを読み取り（Ｓ４１２）、読み取った時刻情報、場所情報とともに団体移動管理装置１にアップロードする（Ｓ４１３）。
【００７０】
団体移動管理装置１は、アップロードされた各生徒のＲＦＩＤの情報を、登録してある生徒情報（図５）と照合する（Ｓ４１４）。団体移動管理装置１は、照合した結果をリーダ４ａに通知し、図７に示すような所在情報およびマップ情報を更新する（Ｓ４１５）。
【００７１】
Ａ駅から新幹線乗車により移動し、Ｂ駅到着時刻になると、団体移動管理装置１は、移動計画情報（図６）に基づいて、リーダ４ａに対して「点呼を取るように依頼するメッセージ」を表示させる（Ｓ９１１）。
【００７２】
この際、上述の「通常動作」では、新幹線がＢ駅に到着しており、リーダ４ａは、生徒が所持するＲＦＩＤタグ４ｂを読み取り、読み取った時刻情報、場所情報とともに団体移動管理装置１にアップロードする。しかしながら、到着予定時刻から所定時間を超えてアップロードされない場合、団体移動管理装置１は、何らかの原因で新幹線（移動手段）に遅延が発生していることを検知する（Ｓ１２０１）。
【００７３】
新幹線が遅延してＢ駅に到着した後、リーダ４ａは、生徒が所持するＲＦＩＤタグ４ｂを読み取り（Ｓ９１２）、読み取った時刻情報、場所情報とともに団体移動管理装置１にアップロードする（図１３のＳ９１３）。
【００７４】
団体移動管理装置１は、アップロードされた各生徒のＲＦＩＤの情報を、登録してある生徒情報（図５）と照合する（Ｓ９１４）。そして、団体移動管理装置１は、アップロードされた読取時刻情報に基づき、団体移動管理装置１に登録された移動計画情報（図６）を変更（更新）する（Ｓ１３０１）。また、団体移動管理装置１は、リーダ４ａに対し、移動計画情報が更新されたことを報知し、リーダ４ａは、移動計画情報を更新する（Ｓ１３０２）。更に、団体移動管理装置１は、変更結果に基づき、図１４に示すような連絡先情報を参照し、例えば、次の移動先である見学先Ｃに対して、見学先Ｃの見学を中止（スキップ）する旨の連絡をする（Ｓ１３０３）。また、団体移動管理装置１は、変更結果に基づき、学校２に対して、見学先Ｃの見学を中止する旨の連絡をする（Ｓ１３０４）。並行して、保護者３に対して、見学先Ｃの見学を中止する旨の連絡をしてもよい。そして、団体移動管理装置１は、照合した生徒情報の結果をリーダ４ａに通知し、図７に示すような所在情報およびマップ情報を更新する（Ｓ９１５）。例えば、Ｂ駅に生徒が到着していることを示す情報に更新し、図８に示すような地図情報を出力する。
【００７５】
見学先Ｃの見学は中止されているので、Ｂ駅からバス乗車により移動し、レストランの到着時刻になると、団体移動管理装置１は、移動計画情報（図６）に基づいて、リーダ４ａに対して「点呼を取るように依頼するメッセージ」を表示させる（図１５中のＳ１００２）。
【００７６】
リーダ４ａは、生徒が所持するＲＦＩＤタグ４ｂを読み取り（Ｓ１００３）、読み取った時刻情報、場所情報とともに団体移動管理装置１にアップロードする（Ｓ１００４）。
【００７７】
団体移動管理装置１は、アップロードされた各生徒のＲＦＩＤの情報を、登録してある生徒情報（図５）と照合する（Ｓ１００５）。そして、団体移動管理装置１は、照合した結果をリーダ４ａに通知し、図７に示すような所在情報およびマップ情報を更新する（Ｓ１００６）。
【００７８】
レストランからバス乗車により移動し、見学先Ｄの到着時刻になると、団体移動管理装置１は、移動計画情報（図６）に基づいて、リーダ４ａに対して「点呼を取るように依頼するメッセージ」を表示させる（Ｓ１００７）。
【００７９】
リーダ４ａは、生徒が所持するＲＦＩＤタグ４ｂを読み取り（Ｓ１００８）、読み取った時刻情報、場所情報とともに団体移動管理装置１にアップロードする（Ｓ１１０１）。
【００８０】
団体移動管理装置１は、アップロードされた各生徒のＲＦＩＤの情報を、登録してある生徒情報（図５）と照合する（Ｓ１１０２）。そして、団体移動管理装置１は、照合した結果をリーダ４ａに通知し、図７に示すような所在情報およびマップ情報を更新する（図１６中のＳ１１０３）。
【００８１】
見学先Ｄからバス乗車により移動し、ホテル等の到着時刻になると、団体移動管理装置１は、移動計画情報（図６）に基づいて、リーダ４ａに対して「点呼を取るように依頼するメッセージ」を表示させる（Ｓ１１０４）。
【００８２】
リーダ４ａは、生徒が所持するＲＦＩＤタグ４ｂを読み取り（Ｓ１１０５）、読み取った時刻情報、場所情報とともに団体移動管理装置１にアップロードする（Ｓ１１０６）。
【００８３】
団体移動管理装置１は、アップロードされた各生徒のＲＦＩＤの情報を、登録してある生徒情報（図５）と照合する（Ｓ１１０７）。そして、団体移動管理装置１は、照合した結果をリーダ４ａに通知し、図７に示すような所在情報およびマップ情報を更新する（Ｓ１１０８）。
【００８４】
次に、図１７、１８、２０、２１、２２、２３を用いて「病気・怪我発生」における団体移動管理処理の一連の流れを説明する。「病気・怪我発生」の流れは、  図４、９、１０、１１を用いて説明した「通常動作」の流れにおいて、例えば「生徒情報」に登録された生徒に病気や怪我が発生するような場合の流れである。以下の説明において「通常動作」中の流れと同様な流れについては、説明を省略することもある。
【００８５】
Ａ駅の集合時刻になると、団体移動管理装置１は、図６のような「移動計画情報」に基づいて、リーダ４ａに対して「点呼を取るように依頼するメッセージ」を表示させる（図１７中のＳ４１１）。
【００８６】
リーダ４ａは、生徒が所持するＲＦＩＤタグ４ｂを読み取り（Ｓ４１２）、読み取った時刻情報、場所情報とともに団体移動管理装置１にアップロードする（Ｓ４１３）。
【００８７】
団体移動管理装置１は、アップロードされた各生徒のＲＦＩＤの情報を、登録してある生徒情報（図５中の「タグＩＤ」）と照合する（Ｓ４１４）。例えば、生徒が所属するクラス単位で照合する。そして、団体移動管理装置１は、照合した結果をリーダ４ａに通知し、図７に示すような所在情報およびマップ情報を更新する（Ｓ４１５）。
【００８８】
Ａ駅から新幹線乗車により移動し、Ｂ駅の到着時刻になると、団体移動管理装置１は、移動計画情報（図６）に基づいて、リーダ４ａに対して「点呼を取るように依頼するメッセージ」を表示させる（図１７中のＳ９１１）。
【００８９】
リーダ４ａは、生徒が所持するＲＦＩＤタグ４ｂを読み取り（Ｓ９１２）、読み取った時刻情報、場所情報とともに団体移動管理装置１にアップロードする（Ｓ９１３）。
【００９０】
団体移動管理装置１は、アップロードされた各生徒のＲＦＩＤの情報を、登録してある生徒情報（図５）と照合する（Ｓ９１４）。そして、団体移動管理装置１は、照合した結果をリーダ４ａに通知し、図７に示すような所在情報およびマップ情報を更新する（図１８中のＳ９１５）。
【００９１】
Ｂ駅からバスに乗車し見学先Ｃに向かう途中で、生徒の１人に病気や怪我が発生したような場合、リーダ４ａでその生徒のＲＦＩＤタグを読み取る。そして、読み取った生徒情報、生徒の状態、読み取った位置情報等を団体移動管理装置１にアップロード（送信）する（Ｓ１８０１）。団体移動管理装置１は、受信した生徒情報等で図１９に示すような怪我情報のデータベースを更新する（Ｓ１８０２）。
【００９２】
団体移動管理装置１は、更新された怪我情報のデータベースに基づいて、生徒の１人に病気等が発生したことを学校２および保護者３に通知する（Ｓ１８０３）。通知を受けた保護者３や学校２は、必要があれば団体移動管理装置１にメッセージを通知する（Ｓ１８０４、Ｓ１８０５）。
【００９３】
例えば、その生徒の病気等の症状が重いような場合、引率教師は、リーダ４ａから団体移動管理装置１に対して、病院等を検索するように依頼する（Ｓ１８０６）。
【００９４】
団体移動管理装置１は、症状等の条件に合う最寄りの病院を検索し、その病院に連絡する（図２０中のＳ２００１）。また、その病院までの交通手段の検索も実行し、その交通手段に連絡する（Ｓ２００２）。これらと並行して、団体移動管理装置１は、検索された最寄り病院及び交通手段の情報をリーダ４ａに通知する（Ｓ２００３）。
【００９５】
通知を受けたリーダ４ａは、その生徒を一時的に点呼の対象から外し（Ｓ２００４）、団体移動管理装置１に通知する（Ｓ２００５）。
【００９６】
見学先Ｃの到着時刻になると、団体移動管理装置１は、移動計画情報（図６）に基づいて、リーダ４ａに対して「点呼を取るように依頼するメッセージ」を表示させる（Ｓ９１６）。
【００９７】
リーダ４ａは、生徒が所持するＲＦＩＤタグ４ｂを読み取り（Ｓ９１７）、読み取った時刻情報、場所情報とともに団体移動管理装置１にアップロードする（Ｓ９１８）。
【００９８】
団体移動管理装置１は、アップロードされた各生徒のＲＦＩＤの情報を、登録してある生徒情報（図５）と照合する（Ｓ２００６）。ただし、生徒情報（図５）は、Ｓ２００６により病気等が発生した生徒は除外されて更新されている。そして、団体移動管理装置１は、照合した結果をリーダ４ａに通知し、図７に示すような所在情報およびマップ情報を更新する（図２１中のＳ１００１）。
【００９９】
見学先Ｃからバス乗車により移動し、レストランの到着時刻になると、団体移動管理装置１は、移動計画情報（図６）に基づいて、リーダ４ａに対して「点呼を取るように依頼するメッセージ」を表示させる（Ｓ１００２）。
【０１００】
リーダ４ａは、生徒が所持するＲＦＩＤタグ４ｂを読み取り（Ｓ１００３）、読み取った時刻情報、場所情報とともに団体移動管理装置１にアップロードする（Ｓ１００４）。
【０１０１】
団体移動管理装置１は、アップロードされた各生徒のＲＦＩＤの情報を、登録してある生徒情報（図５）と照合する（Ｓ１００５）。そして、団体移動管理装置１は、照合した結果をリーダ４ａに通知し、図７に示すような所在情報およびマップ情報を更新する（Ｓ１００６）。
【０１０２】
レストランからバス乗車により移動し、見学先Ｄの到着時刻になると、団体移動管理装置１は、移動計画情報（図６）に基づいて、リーダ４ａに対して「点呼を取るように依頼するメッセージ」を表示させる（Ｓ１００７）。
【０１０３】
リーダ４ａは、生徒が所持するＲＦＩＤタグ４ｂを読み取り（図２２中のＳ１００８）、読み取った時刻情報、場所情報とともに団体移動管理装置１にアップロードする（Ｓ１１０１）。
【０１０４】
団体移動管理装置１は、アップロードされた各生徒のＲＦＩＤの情報を、登録してある生徒情報（図５）と照合する（Ｓ１１０２）。そして、団体移動管理装置１は、照合した結果をリーダ４ａに通知し、図７に示すような所在情報およびマップ情報を更新する（Ｓ１１０３）。
【０１０５】
見学先Ｄからバスに乗車しホテル等に向かう途中で、病気等で病院等に行っていた生徒が合流すると、リーダ４ａは、その生徒が所持するＲＦＩＤタグ４ｂを読み取り、読み取った時刻情報、場所情報とともに団体移動管理装置１にアップロード（送信）する（Ｓ２２０１）。団体移動管理装置１は、受信した生徒情報等で図１９に示すような怪我情報のデータベースを更新する（Ｓ２２０２）。
【０１０６】
団体移動管理装置１は、更新された怪我情報のデータベースに基づいて、病気等が発生した生徒が合流したことを学校２および保護者３に通知する（Ｓ２２０３）。
【０１０７】
通知を受けたリーダ４ａは、その生徒を点呼の対象に戻し（図２３中のＳ２３０１）、団体移動管理装置１に通知する（Ｓ２３０２）。
【０１０８】
ホテル等の到着時刻になると、団体移動管理装置１は、移動計画情報（図６）に基づいて、リーダ４ａに対して「点呼を取るように依頼するメッセージ」を表示させる（Ｓ１１０４）。
【０１０９】
リーダ４ａは、生徒が所持するＲＦＩＤタグ４ｂを読み取り（Ｓ１１０５）、読み取った時刻情報、場所情報とともに団体移動管理装置１にアップロードする（Ｓ１１０６）。
【０１１０】
団体移動管理装置１は、アップロードされた各生徒のＲＦＩＤの情報を、登録してある生徒情報（図５）と照合する（Ｓ１１０７）。そして、団体移動管理装置１は、照合した結果をリーダ４ａに通知し、図７に示すような所在情報およびマップ情報を更新する（Ｓ１１０８）。
【０１１１】
学校の修学旅行等における生徒の点呼確認における例を説明した。修学旅行等の代わりに、地震や火災、津波等による緊急避難となった際も、上記同様に生徒の点呼確認ができる。また、電車やバスで乗車する車両を間違えたような場合、例えば、他のクラスの車両に乗車してしまったような場合でも、リーダ４ａから団体移動管理装置１へ問い合わせることで、その生徒が他の車両に乗車していることを確認することができる。また、ＲＦＩＤタグを読み取れない場合、例えば、ＲＦＩＤタグが紛失、破損したような場合では、リーダ４ａから団体移動管理装置１に対して、生徒が所持するＲＦＩＤタグ４ｂが読み取り不可であることを通知することで、団体移動管理装置１はリーダ４ｂに対し、個別にその生徒の点呼を取るよう依頼するメッセージを表示しても良い。
【０１１２】
以上、本発明の実施の形態を、図面を参照しながら説明してきたが、上述してきた本発明の実施の形態は、団体移動管理装置の一機能としてハードウェアまたはＤＳＰ（Digital Signal Processor）ボードやＣＰＵボードでのファームウェアもしくはソフトウェアにより実現することができる。
【０１１３】
また、本発明が適用される団体移動管理装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【０１１４】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた実施の形態のシステムを実現するソフトェアのプログラムを記録したＲＯＭやＲＡＭのメモリ、外部記録装置、可搬記録媒体を、団体移動管理装置に供給し、その団体移動管理装置のコンピュータがプログラムを読み出し実行することによっても、達成されることは言うまでもない。
【０１１５】
この場合、可搬記録媒体等から読み出されたプログラム自体が本発明の新規な機能を実現することになり、そのプログラムを記録した可搬記録媒体等は本発明を構成することになる。
【０１１６】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【０１１７】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部または全部を行ない、その処理によっても前述した実施の形態の機能が実現される。
【０１１８】
さらに、可搬型記録媒体から読み出されたプログラムやプログラム（データ）提供者から提供されたプログラム（データ）が、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施の形態の機能が実現され得る。
【０１１９】
すなわち、本発明は、以上に述べた実施の形態に限定されるものではなく、本発明の要旨を逸脱しない範囲内で種々の構成または形状を取ることができる。
【符号の説明】
【０１２０】
１      団体移動管理装置
２      学校
３      保護者
４      引率教師
４ａ    リーダ
４ｂ    ＲＦＩＤタグ
５      旅行会社
６      ホテル／旅館
７      観光先
８      交通機関
９      地図会社
１０    医療機関
１１    団体情報格納部
１２    移動計画情報格納部
１３    読取データ取得部
１４    構成メンバー判断部
１５    不在メンバー出力部
１６    時刻情報判断部
１７    時刻変更出力部
１８    地図情報出力部
【図１】
2017146850.tif 000003
【図２】
2017146850.tif 000004
【図３】
2017146850.tif 000005
【図４】
2017146850.tif 000006
【図５】
2017146850.tif 000007
【図６】
2017146850.tif 000008
【図７】
2017146850.tif 000009
【図８】
2017146850.tif 000010
【図９】
2017146850.tif 000011
【図１０】
2017146850.tif 000012
【図１１】
2017146850.tif 000013
【図１２】
2017146850.tif 000014
【図１３】
2017146850.tif 000015
【図１４】
2017146850.tif 000016
【図１５】
2017146850.tif 000017
【図１６】
2017146850.tif 000018
【図１７】
2017146850.tif 000019
【図１８】
2017146850.tif 000020
【図１９】
2017146850.tif 000021
【図２０】
2017146850.tif 000022
【図２１】
2017146850.tif 000023
【図２２】
2017146850.tif 000024
【図２３】
2017146850.tif 000025